(57)【要約】【課題】  注射針を自動的に外筒の内部に回収できる静脈注射用安全導管を提供する。【解決手段】  外筒、ヘッド部、弾性部材及び導管座を備える静脈注射用安全導管であって、前記外筒の一端に複数の弾性プレートが設けられ、前記ヘッド部は外筒の内部に取り付けられ、その一端に針用カニューレが設けられると共に、外周縁に複数のリング状の係合溝が形成され、前記弾性部材は外筒の内部に設けられると共に、その両端が夫々外筒とヘッド部に接触し、前記導管座は外筒に取り付けられ、その内部に収容部が形成されると共に、前端に中央に収容部と連通する中空部を有する導管が設けられ、該収容部の内径は圧縮されない弾性プレート同士の距離より小さいことにより、弾性プレートを収容部の内部に差し込んだ際、弾性プレートが収容部の内壁に強固に接触することを特徴とする。【選択図】        図１
2006198155.tif 000002
【特許請求の範囲】
【請求項１】
外筒、ヘッド部、弾性部材及び導管座を備える静脈注射用安全導管であって、
前記外筒の一端に複数の弾性プレートが設けられ、
前記ヘッド部は外筒の内部に取り付けられ、その一端に針用カニューレが設けられると共に、外周縁に複数のリング状の係合溝が形成され、
前記弾性部材は外筒の内部に設けられると共に、その両端が夫々外筒とヘッド部に接触し、
前記導管座は外筒に取り付けられ、その内部に収容部が形成されると共に、前端に中央に収容部と連通する中空部を有する導管が設けられ、該収容部の内径は圧縮されない弾性プレート同士の距離より小さくすることにより、弾性プレートを収容部の内部に差し込んだ際、弾性プレートが収容部の内壁に強固に接触することを特徴とする静脈注射用安全導管。
【請求項２】
前記外筒の外側に設けられると共に、導管座の外側をカバーするカバーを有することを特徴とする請求項１に記載の静脈注射用安全導管。
【請求項３】
前記弾性プレートは毛抜きのような二枚の構造であることを特徴とする請求項１又は２に記載の静脈注射用安全導管。
【請求項４】
前記外筒の両端に夫々導管座結合端と開口端が設けられ、該導管座結合端に貫通孔が形成されると共に、前記弾性プレートが設けられ、該開口端にブロックが設けられることを特徴とする請求項３に記載の静脈注射用安全導管。
【請求項５】
前記ヘッド部の両端に夫々針用結合端とベース結合端が設けられ、該ベース結合端に半径がヘッド部より大きいベースが設けられ、前記弾性部材の両端に夫々ヘッド部取付端と外筒取付端が設けられ、該ヘッド部取付端がベースと接触されると共に、該外筒取付端が外筒の導管座結合端と接触されることを特徴とする請求項４に記載の静脈注射用安全導管。
【請求項６】
前記ヘッド部の直径は外筒の中空部より小さいことを特徴とする請求項５に記載の静脈注射用安全導管。
【請求項７】
前記弾性部材はスプリングであることを特徴とする請求項６に記載の静脈注射用安全導管。
【請求項８】
前記ブロックは通気ブロックであることを特徴とする請求項７に記載の静脈注射用安全導管。
【発明の詳細な説明】
【技術分野】
【０００１】
本発明は、特に注射針を自動的に外筒の内部に回収できる静脈注射用安全導管に関するものである。
【背景技術】
【０００２】
従来の静脈注射用導管は薬液を患者の体に注入するのに用いられ、通常は外筒、導管及び注射針を有する。該静脈注射用導管を使用する場合、注射針によって該導管を患者の血管に挿入した後、外筒と注射針を導管から取り外し、該導管をそのまま患者の体に残し、次に注射する際には、例えば点滴の注射針を導管に穿刺するだけで、薬液を患者の体に注入することにより、数回の穿刺の苦しみを防止できる。又、前記静脈注射用導管は一般に使用されるものであるため、一般の特許又は非特許文献に記載されていなかった。
【発明の開示】
【発明が解決しようとする課題】
【０００３】
しかしながら、前記従来の静脈注射用導管を使用する際は、注射針が導管の外側に露出するため、該注射針を導管から取り外す際、看護人員の不注意により自分の手などを刺してしまう恐れがあり、又、取外した注射針に適当な処理を施さないうちに、他人を傷つけてしまうこともあるので、大変危険であった。
【０００４】
そこで、出願されたのが本発明であって、注射針を自動的に外筒の内部に回収できる静脈注射用安全導管を提供することを目的としている。
【課題を解決するための手段】
【０００５】
本願の請求項１の発明は、外筒、ヘッド部、弾性部材及び導管座を備える静脈注射用安全導管であって、
前記外筒の一端に複数の弾性プレートが設けられ、
前記ヘッド部は外筒の内部に取り付けられ、その一端に針用カニューレが設けられると共に、外周縁に複数のリング状の係合溝が形成され、
前記弾性部材は外筒の内部に設けられると共に、その両端が夫々外筒とヘッド部と接触され、
前記導管座は外筒に取り付けられ、その内部に収容部が形成されると共に、前端に中央に収容部と連通する中空部を有する導管が設けられ、該収容部の内径は圧縮されない弾性プレート同士の距離より小さいことにより、弾性プレートを収容部の内部に差し込んだ際、弾性プレートが収容部の内壁に強固に接触することを特徴とする静脈注射用安全導管及び、
本願の請求項２の発明は、前記外筒の外側に設けられると共に、導管座の外側をカバーするカバーを有することを特徴とする請求項１に記載の静脈注射用安全導管及び、
本願の請求項３の発明は、前記弾性プレートは毛抜きのような二枚の構造であることを特徴とする請求項１又は２に記載の静脈注射用安全導管及び、
本願の請求項４の発明は、前記外筒の両端に夫々導管座結合端と開口端が設けられ、該導管座結合端に貫通孔が形成されると共に、前記弾性プレートが設けられ、該開口端にブロックが設けられることを特徴とする請求項３に記載の静脈注射用安全導管及び、
本願の請求項５の発明は、前記ヘッド部の両端に夫々針用結合端とベース結合端が設けられ、該ベース結合端に半径がヘッド部より大きいベースが設けられ、前記弾性部材の両端に夫々ヘッド部取付端と外筒取付端が設けられ、該ヘッド部取付端がベースと接触されると共に、該外筒取付端が外筒の導管座結合端と接触されることを特徴とする請求項４に記載の静脈注射用安全導管及び、
本願の請求項６の発明は、前記ヘッド部の直径は外筒の中空部より小さいことを特徴とする請求項５に記載の静脈注射用安全導管及び、
本願の請求項７の発明は、前記弾性部材はスプリングであることを特徴とする請求項６に記載の静脈注射用安全導管及び、
本願の請求項８の発明は、前記ブロックは通気ブロックであることを特徴とする請求項７に記載の静脈注射用安全導管、を提供する。
【発明の効果】
【０００６】
本発明は上記の課題を解決するものであり、針用カニューレを自動的に外筒の内部に回収することにより、看護人員の不注意による感染や負傷を防止でき、更に、導管座を患者の体に残すことにより、注射を行うたびに穿刺しなくてもよいので、患者の負担が軽減される。
【発明を実施するための最良の形態】
【０００７】
以下、添付図面を参照して本発明の好適な実施の形態を詳細に説明する。
【０００８】
図１は本発明に係る静脈注射用安全導管の一部分解斜視図であり、図２は本発明に係る静脈注射用安全導管の分解斜視図であり、図３は本発明に係る静脈注射用安全導管の断面図であり、図４は本発明に係る静脈注射用安全導管の使用状態を示す断面図である。
【０００９】
図１及び図２に示すように、本発明に係る静脈注射用安全導管は外筒（３０）、ヘッド部（１０）、弾性部材（２０）、導管座（４０）、カバー（５０）及びブロック（６０）を備える。
【００１０】
前記外筒（３０）の両端に夫々導管座結合端（３２）と開口端（３４）が設けられ、該導管座結合端（３２）に貫通孔（３６）が形成されると共に、外側へ延伸する複数の弾性プレート（３８）が設けられ、本実施例において、該弾性プレート（３８）は毛抜きのような二枚の構造である。
【００１１】
前記ヘッド部（１０）は外筒（３０）の内部に取り付けられ、その両端に夫々針用結合端（１２）とベース結合端（１４）が設けられ、該ベース結合端（１４）に半径がヘッド部（１０）より大きいベース（１６）が連結され、又、ヘッド部（１０）の中央に針用結合端（１２）から突出する針用カニューレ（１８）を有する中空部（１７）が形成されると共に、針用結合端（１２）の付近に複数のリング状の係合溝（１９）が形成され、又、ヘッド部（１０）の直径は外筒（３０）の貫通孔（３６）より小さい。
【００１２】
前記弾性部材（２０）は外筒（３０）の内部に設けられると共に、両端に夫々外筒取付端（２２）とヘッド部取付端（２４）が設けられるスプリングであり、該ヘッド部取付端（２４）がヘッド部（１０）のベース（１６）と接触され、外筒取付端（２２）が外筒（３０）の導管座結合端（３２）と接触される。
【００１３】
又、前記導管座（４０）の内部に収容部（４２）が形成され、前端に中央に収容部（４２）と連通する中空部（４５）を有する導管（４４）が設けられ、該収容部（４２）の内径は圧縮されない弾性プレート（３８）同士の距離より小さいことにより、弾性プレート（３８）を収容部（４２）の内部に差し込んだ際、弾性プレート（３８）が収容部（４２）の内壁に強固に接触することができ、従って、導管座（４０）が外筒（３０）の導管座結合端（３２）に固定することができる。
【００１４】
又、前記カバー（５０）は外筒（３０）の外側に設けられると共に、導管座（４０）の外側をカバーする。
【００１５】
前記ブロック（６０）は外筒（３０）の開口端（３４）に設けられることにより、ヘッド部（１０）を回収する際、針用カニューレ（１８）に残した血液又は薬液を外筒（３０）から流れ出すことを防止でき、本実施例において、該ブロックは通気ブロックである。
【００１６】
図３に示すように、前記ヘッド部（１０）の針用カニューレ（１８）は導管座（４０）の導管（４４）の内部に設けられると共に、弾性プレート（３８）がヘッド部（１０）の係合溝（１９）に係合されることにより、針用カニューレ（１８）を導管座（４０）の中空部（４５）に固定すると共に、導管（４４）から外側へ伸びだし、この際、弾性部材（２０）が圧縮されると共に、カバー（５０）が針用カニューレ（１８）の外側をカバーすることにより、不注意の意外を防止する。
【００１７】
更に、図４に示すように、本発明を例えば採血として使用する際、カバー（５０）を取り外し、針用カニューレ（１８）が患者の皮膚を穿刺することにより、針用カニューレ（１８）と導管（４４）を同時に患者の皮膚に入れ、採血した後、導管座（４０）を外筒（３０）と分離させ、即ち外筒（３０）を導管座（４０）から取り外し、この際、弾性プレート（３８）と係合溝（１９）が互いに係合するので、ヘッド部（１０）が外筒（３０）と一緒に導管座（４０）から取り外し、又、弾性プレート（３８）は収容部（４２）から脱出する際、圧迫力を受けないので、自動的に拡張することにより、係合溝（１９）から脱出し、そして、弾性部材（２０）の圧迫力も消すので、ヘッド部（１０）を外筒（３０）の導管座結合端（３２）から離することにより、針用カニューレ（１８）を自動的に外筒（３０）の内部に回収すると共に、導管座（４０）を患者の体に残し、次の注射時、注射針が直接に導管（４４）を穿刺するだけでよい。
【産業上の利用可能性】
【００１８】
本発明を上記の構成を有し、針用カニューレを自動的に外筒の内部に回収することにより、看護人員の不注意による感染や負傷を防止でき、更に、導管座を患者の体に残すことにより、注射を行うたびに穿刺しなくてもよいので、患者の負担が軽減される。
【図面の簡単な説明】
【００１９】
【図１】本発明に係る静脈注射用安全導管の一部分解斜視図である。
【図２】本発明に係る静脈注射用安全導管の分解斜視図である。
【図３】本発明に係る静脈注射用安全導管の断面図である。
【図４】本発明に係る静脈注射用安全導管の使用状態を示す断面図である。
【符号の説明】
【００２０】
１０        ヘッド部
１２        針用結合端
１４        ベース結合端
１６        ベース
１７        中空部
１８        針用カニューレ
１９        係合溝
２０        弾性部材
２２        外筒取付端
２４        ヘッド部取付端
３０        外筒
３２        導管座結合端
３４        開口端
３６        貫通孔
３８        弾性プレート
４０        導管座
４２        収容部
４４        導管
４５        中空部
５０        カバー
６０        ブロック
【図１】
2006198155.tif 000003
【図２】
2006198155.tif 000004
【図３】
2006198155.tif 000005
【図４】
2006198155.tif 000006